(57)【要約】  本発明の実施例は、画面制御方法及び端末を開示している。当該方法は、端末の通話中又は呼出中に、端末の画面における所定領域と人体とが接近する時に画面から発生する電気信号に基づいて、所定領域と人体との距離が距離閾値より大きいか否かを判定するステップと、距離が距離閾値より大きくないと判定されると、画面をオフさせるように制御するステップと、距離が距離閾値より大きいと判定されると、画面をオンさせるように制御するステップと、を含む。本発明によれば、端末の通話中又は呼出中に画面のオン・オフをより正しく制御することができる。【選択図】図１
2015521762.tif 000002
【特許請求の範囲】
【請求項１】
端末の通話中又は呼出中に、前記端末の画面における所定領域と人体とが接近する時に前記画面から発生する電気信号に基づいて、前記所定領域と人体との距離が距離閾値より大きいか否かを判定するステップと、
前記距離が前記距離閾値より大きくないと判定されると、前記画面をオフさせるように制御するステップと、
前記距離が前記距離閾値より大きいと判定されると、前記画面をオンさせるように制御するステップと、を含む
ことを特徴とする端末画面制御方法。
【請求項２】
前記端末の画面における所定領域と人体とが接近する時に前記画面から発生する電気信号に基づいて、前記所定領域と人体との距離が距離閾値より大きいか否かを判定するステップは、
前記端末の画面における所定領域と人体とが接近する時に前記画面から発生する接触容量の容量値を検出するステップと、
前記容量値が容量閾値以上である場合、前記所定領域と人体との距離が前記距離閾値以下であると判定するステップと、
前記容量値が前記容量閾値より小さい場合、前記所定領域と人体との距離が前記距離閾値より大きいと判定するステップと、を含む
ことを特徴とする請求項１に記載の方法。
【請求項３】
前記端末の画面における所定領域と人体とが接近する時に前記画面から発生する電気信号に基づいて、前記所定領域と人体との距離が距離閾値より大きいか否かを判定するステップは、
前記端末の画面における所定領域と人体とが接近する時に前記画面から発生する接触容量の供給電流の電流値を検出するステップと、
前記電流値が電流閾値以上である場合、前記所定領域と人体との距離が前記距離閾値以下であると判定するステップと、
前記容量値が前記電流閾値より小さい場合、前記所定領域と人体との距離が前記距離閾値より大きいと判定するステップと、を含む
ことを特徴とする請求項１に記載の方法。
【請求項４】
前記端末の無線周波数モジュールにより、前記端末が通話中又は呼出中であることを判定する
ことを特徴とする請求項１〜３のいずれか一項に記載の方法。
【請求項５】
前記所定領域は、前記画面においてレシーバの近くに位置する
ことを特徴とする請求項１〜４のいずれか一項に記載の方法。
【請求項６】
自装置の通話中又は呼出中に、前記自装置の画面における所定領域と人体とが接近する時に前記画面から発生する電気信号に基づいて、前記所定領域と人体との距離が距離閾値より大きいか否かを判定するための検出モジュールと、
前記距離が前記距離閾値より大きくないと判定されると、前記画面をオフさせるように制御し、前記距離が前記距離閾値より大きいと判定されると、前記画面をオンさせるように制御するための制御モジュールと、を含む
ことを特徴とする端末。
【請求項７】
前記検出モジュールは、前記端末の画面における所定領域と人体とが接近する時に前記画面から発生する接触容量の容量値を検出するためのものであり、前記容量値が容量閾値以上である場合、前記所定領域と人体との距離が前記距離閾値以下であると判定し、前記容量値が前記容量閾値より小さい場合、前記所定領域と人体との距離が前記距離閾値より大きいと判定する
ことを特徴とする請求項６に記載の端末。
【請求項８】
前記検出モジュールは、前記端末の画面における所定領域と人体とが接近する時に前記画面から発生する接触容量の供給電流の電流値を検出し、前記電流値が電流閾値以上である場合、前記所定領域と人体との距離が距離閾値以下であると判定し、前記容量値が前記電流閾値より小さい場合、前記所定領域と人体との距離が前記距離閾値より大きいと判定する
ことを特徴とする請求項６に記載の端末。
【請求項９】
さらに、前記端末が通話中又は呼出中であることを判定し、前記検出モジュールに通知するための無線周波数モジュールを含む
ことを特徴とする請求項６〜８のいずれか一項に記載の端末。
【請求項１０】
人体からの距離を測るために用いられる前記検出モジュールの前記所定領域は、前記画面においてレシーバの近くに位置する
ことを特徴とする請求項６〜９のいずれか一項に記載の端末。
【発明の詳細な説明】
【技術分野】
【０００１】
本発明は、端末技術分野におけるタッチパネル技術分野に関し、特に画面制御方法及び端末に関する。
【背景技術】
【０００２】
現在、タッチパネル端末は、メインな端末として使用されているが、ユーザが端末を使用して電話する際に、人体の顔や頭などが端末の画面に長時間に接触すると、誤操作を起こしやすい。従来技術においては、画面のオン・オフを制御するためのオプティカルセンシング技術を用いて、この問題は解決される。その原理としては、オプティカルセンサを利用して周囲の光の状況を感知し、それをコントローラの処理チップに通知して画面のオン・オフを制御する。通話中、端末の前部に搭載されるオプティカルセンサは、周囲の光の状況を感知し、端末が人体（例えば耳）と一定な距離まで接近したときに、光が暗くなったことを感知し、画面をオフさせるように制御し、一方、端末が人体から一定な距離以上に離れたときに、光が明るくなったことを感知し、画面をオンさせるように制御する。
【０００３】
しかしながら、オプティカルセンサによる周囲光の感知状況の判別は、定量的な基準がなく、また、端末が現在位置する環境の光の強弱から影響を受けやすく、画面のオン・オフに対して正しく制御できなくなる。
【発明の概要】
【０００４】
本発明の実施例は、従来技術に存在する端末の通話中又は呼出中に画面のオン・オフに対して正しく制御できないことを解決するための画面制御方法及び端末を提供する。
【０００５】
本発明の実施例は、端末画面制御方法を提供し、当該端末画面制御方法は、端末の通話中又は呼出中に、前記端末の画面における所定領域と人体とが接近する時に前記画面から発生する電気信号に基づいて、前記所定領域と人体との距離が距離閾値より大きいか否かを判定するステップと、前記距離が前記距離閾値より大きくないと判定されると、前記画面をオフさせるように制御するステップと、前記距離が前記距離閾値より大きいと判定されると、前記画面をオンさせるように制御するステップと、を含む。
【０００６】
さらに、前記端末の画面における所定領域と人体とが接近する時に前記画面から発生する電気信号に基づいて、前記所定領域と人体との距離が距離閾値より大きいか否かを判定するステップは、具体的に、前記端末の画面における所定領域と人体とが接近する時に前記画面から発生する接触容量の容量値を検出するステップと、前記容量値が容量閾値以上である場合、前記所定領域と人体との距離が前記距離閾値以下であると判定するステップと、前記容量値が前記容量閾値より小さい場合、前記所定領域と人体との距離が前記距離閾値より大きいと判定するステップと、を含む。
【０００７】
さらに、前記端末の画面における所定領域と人体とが接近する時に前記画面から発生する電気信号に基づいて、前記所定領域と人体との距離が距離閾値より大きいか否かを判定するステップは、具体的に、前記端末の画面における所定領域と人体とが接近する時に前記画面から発生する接触容量の供給電流の電流値を検出するステップと、前記電流値が電流閾値以上である場合、前記所定領域と人体との距離が前記距離閾値以下であると判定するステップと、前記容量値が前記電流閾値より小さい場合、前記所定領域と人体との距離が前記距離閾値より大きいと判定するステップと、を含む。
【０００８】
さらに、前記端末の無線周波数モジュールにより、前記端末が通話中又は呼出中であることを判定する。
【０００９】
さらに、前記所定領域は、前記画面においてレシーバの近くに位置する。
【００１０】
本発明の実施例は、端末も提供し、当該端末は、自装置の通話中又は呼出中に、前記自装置の画面における所定領域と人体とが接近する時に前記画面から発生する電気信号に基づいて、前記所定領域と人体との距離が距離閾値より大きいか否かを判定するための検出モジュールと、前記距離が前記距離閾値より大きくないと判定されると、前記画面をオフさせるように制御し、前記距離が前記距離閾値より大きいと判定されると、前記画面をオンさせるように制御するための制御モジュールと、を含む。
【００１１】
さらに、前記検出モジュールは、具体的に、前記端末の画面における所定領域と人体とが接近する時に前記画面から発生する接触容量の容量値を検出するためのものであり、前記容量値が容量閾値以上である場合、前記所定領域と人体との距離が前記距離閾値以下であると判定し、前記容量値が前記容量閾値より小さい場合、前記所定領域と人体との距離が前記距離閾値より大きいと判定する。
【００１２】
さらに、前記検出モジュールは、具体的に、前記端末の画面における所定領域と人体とが接近する時に前記画面から発生する接触容量の供給電流の電流値を検出し、前記電流値が電流閾値以上である場合、前記所定領域と人体との距離が距離閾値以下であると判定し、前記容量値が前記電流閾値より小さい場合、前記所定領域と人体との距離が前記距離閾値より大きいと判定する。
【００１３】
さらに、前記端末が通話中又は呼出中であることを判定し、前記検出モジュールに通知するための無線周波数モジュールを含む。
【００１４】
さらに、人体からの距離を測るために用いられる前記検出モジュールの前記所定領域は、前記画面においてレシーバの近くに位置する。
【００１５】
本発明の実施例に係る上記技術的解決策において、端末の通話中又は呼出中に、端末の画面上の所定領域が人体と接近する時に画面から発生する電気信号に基づいて、所定領域と人体との距離が距離閾値より大きいか否かを判定し、距離が距離閾値より大きくないと判定されると、画面をオフさせるように制御し、距離が距離閾値より大きいと判定されると、画面をオンさせるように制御する。当該方法において、画面のオン・オフの制御に定量的な制御基準を提供したため、背景技術におけるオプティカルセンサによる光の強弱を感知する方法に比較し、画面のオン・オフをより正しく制御することができる。
【図面の簡単な説明】
【００１６】
図面は、本発明をより理解するためのものであり、明細書の一部分として、本発明の実施例とともに本発明を説明するためのものであり、本発明を制限するものではない。
【図１】本発明の実施例による端末画面制御方法のフローチャートである。
【図２】本発明の実施例１による端末画面制御方法のフローチャートである。
【図３】本発明の実施例２による端末画面制御方法のフローチャートである。
【図４】本発明の実施例３による端末の構造を模式的に示す図である。
【発明を実施するための形態】
【００１７】
端末の通話中又は呼出中に画面のオン・オフをより正しく制御するために、本発明の実施例は、端末画面制御方法及び端末を提供する。以下、明細書の図面を参照し、本発明の好適な実施例を説明する。ここで記載する好適な実施例は、単に本発明を説明及び解釈するためのものであり、本発明を限定するためのものではない。また、矛盾しないかぎり、本願における実施例及び実施例における構成は、互いに組み合わせることができる。
【００１８】
本発明の実施例は、端末画面制御方法を提供する。図１に示すように、以下のステップを含む。
【００１９】
ステップ１０１において、端末の通話中又は呼出中に、端末の画面における所定領域と人体とが接近する時に画面から発生する電気信号に基づいて、所定領域と人体との距離が距離閾値より大きいか否かを判定する。
【００２０】
ステップ１０２において、距離が距離閾値より大きくないと判定されると、画面をオフさせるように制御し、距離が距離閾値より大きいと判定されると、画面をオンさせるように制御する。
【００２１】
なお、上記ステップ１０１における電気信号は、端末の画面における所定領域と人体とが接近する時に画面から発生する接触容量であってもよく、端末の画面における所定領域と人体とが接近する時に画面から発生する接触容量の供給電流であってもよい。そして、端末の画面における所定領域と人体とが接近する時に画面から発生する電気信号に基づいて、所定領域と人体との距離が距離閾値より大きいか否かを判定するステップは、具体的に、以下の２つの方式を採用することができる。
【００２２】
方式１：端末の画面における所定領域と人体とが接近する時に画面から発生する接触容量の容量値を検出し、当該容量値が容量閾値以上である場合、所定領域と人体との距離が距離閾値以下であると判定し、当該容量値が当該容量閾値より小さい場合、所定領域と人体との距離が距離閾値より大きいと判定する。
【００２３】
方式２：端末の画面における所定領域と人体とが接近する時に画面から発生する接触容量の供給電流の電流値を検出し、当該電流値が電流閾値以上である場合、所定領域と人体との距離が距離閾値以下であると判定し、当該容量値が当該電流閾値より小さい場合、所定領域と人体との距離が距離閾値より大きいと判定する。
【００２４】
以下、図面を参照し、具体的な実施例を用いて本発明による方法と端末について詳細に説明する。
【００２５】
実施例１：
本発明の実施例１において、端末の通話中又は呼出中に、端末の画面における所定領域と人体との距離が距離閾値より大きいか否かにより、画面のオン・オフを制御する。距離が距離閾値より大きいか否かは、実際には、画面における所定領域と人体とが接近する時に画面から発生する接触容量に基づいて判定することができる。
【００２６】
例えば、容量式タッチパネルを例とし、人体が画面における容量感知領域に接触すると、人体の電界は、タッチパネルの表面との間に結合容量を形成する。実質上、人体が画面に接触せず、一定な距離まで接近すると、結合容量が生成される。
【００２７】
本発明の実施例１は、画面が人体と接近する時に画面から発生する接触容量に基づいて、人体と画面との距離が距離閾値より大きいか否かを判定して画面のオン・オフを制御できる。
【００２８】
図２は、本実施例１による端末画面制御方法のフローチャートであり、詳しくは、以下の処理ステップを含む。
【００２９】
ステップ２０１において、端末は、現在通話中又は呼出中であると判定する。ユーザが端末を使用して通話又は呼出をしている最中に、端末における無線周波数（ＲＦ：Ｒａｄｉｏ Ｆｒｅｑｕｅｎｃｙ）モジュールにより端末が現在通話又は呼出状態にあることを検出して判定することができる。
【００３０】
ステップ２０２において、端末が通話中又は呼出中のとき、端末の画面における所定領域と人体とが接近する時に画面から発生する電気信号に対する検出を起動する。具体的には、端末の画面における所定領域と人体とが接近する時に画面から発生する接触容量の容量値を検出してもよい。
【００３１】
本実施例１において、端末の画面における所定領域は、実際のニーズに応じて柔軟に設置されることができる。例えば、所定領域は、画面においてレシーバの近くに位置するように設置され、そのサイズ及び形状がレシーバの周囲のＰＣＢ（Ｐｒｉｎｔｅｄ Ｃｉｒｃｕｉｔ Ｂｏａｒｄ）ボードに合わせるサイズであることが好ましい。
【００３２】
ステップ２０３において、検出した画面から発生する接触容量の容量値に基づいて、所定領域と人体との距離が距離閾値より大きいか否かを判定する。大きくないと判定される場合、ステップ２０４に進み、大きいと判定される場合、ステップ２０５に進む。具体的な判定方式は、以下のようである。
【００３３】
検出した接触容量の容量値が容量閾値以上である場合、所定領域と人体との距離が距離閾値以下であると判定する。容量値が容量閾値より小さい場合、所定領域と人体との距離が距離閾値より大きいと判定する。なお、容量閾値とは、所定領域と人体との距離が距離閾値であるときに画面から発生する接触容量の容量値である。
【００３４】
ステップ２０４において、端末の画面をオフさせるように制御する。
【００３５】
ステップ２０５において、端末の画面をオンさせるように制御する。
【００３６】
本発明の実施例１による上記方法によれば、画面が人体と接近する時に画面から発生する接触容量の容量値の大きさと容量閾値との関係に応じて、画面と人体との距離が距離閾値より大きいか否かを判定することにより、この定量的な制御基準に基づいて、画面のオン・オフをより正しく制御することができる。
【００３７】
実施例２
本発明の実施例２において、端末の通話中又は呼出中に、端末の画面における所定領域と人体との距離が距離閾値より大きいか否かにより、画面のオン・オフを制御する。距離が距離閾値より大きいか否かは、実際には、画面における所定領域と人体とが接近する時に画面から発生する接触容量の供給電流に基づいて判定することができる。
【００３８】
例えば、容量式タッチパネルを例とし、人体が画面における容量感知領域に接触すると、人体の電界は、タッチパネルの表面との間に結合容量を形成する。高周波電流の場合、キャパシタが直接の導体となるため、人体は、タッチパネルの電極が供給することにより発生した小さい電流を吸収する。当該電流は、供給電流と言われる。実質上、人体が画面に接触せず、一定な距離まで接近すると、結合容量及び対応する供給電流が生成される。
【００３９】
本発明の実施例２は、画面が人体と接近する時に画面から発生する接触容量の供給電流に基づいて、人体と画面との距離が距離閾値より大きいか否かを判定して画面のオン・オフを制御できるものである。
【００４０】
図３は、本実施例２による端末画面制御方法のフローチャートであり、詳しくは、以下の処理ステップを含む。
【００４１】
ステップ３０１において、端末は、現在通話中又は呼出中であると判定する。ユーザが端末を使用して通話又は呼出をしている最中に、端末における無線周波数モジュールにより端末が現在通話又は呼出状態にあることを検出して判定することができる。
【００４２】
ステップ３０２において、端末が通話中又は呼出中のとき、端末の画面における所定領域と人体とが接近する時に画面から発生する電気信号に対する検出を起動する。具体的には、端末の画面における所定領域と人体とが接近する時に画面から発生する接触容量の供給電流の電流値を検出してもよい。
【００４３】
本実施例２において、端末の画面における所定領域は、実際のニーズに応じて柔軟に設置されることができる。例えば、所定領域は、画面においてレシーバの近くに位置するように設置され、そのサイズ及び形状がレシーバの周囲のＰＣＢボードに合わせるサイズであることが好ましい。
【００４４】
ステップ３０３において、検出した画面から発生する接触容量の供給電流の電流値に基づいて、所定領域と人体との距離が距離閾値より大きいか否かを判定する。大きくないと判定される場合、ステップ３０４に進み、大きいと判定される場合、ステップ３０５に進む。具体的な判定方式は、以下のようである。
【００４５】
検出した接触容量の供給電流の電流値が電流閾値以上である場合、所定領域と人体との距離が距離閾値以下であると判定する。容量値が電流閾値より小さい場合、所定領域と人体との距離が距離閾値より大きいと判定する。なお、電流閾値とは、所定領域と人体との距離が距離閾値であるときに画面から発生する接触容量の供給電流の電流値である。
【００４６】
ステップ３０４において、端末の画面をオフさせるように制御する。
【００４７】
ステップ３０５において、端末の画面をオンさせるように制御する。
【００４８】
本発明の実施例２による上記方法によれば、画面が人体と接近する時に画面から発生する接触容量の供給電流の電流値の大きさと電流閾値との関係に応じて、画面と人体との距離が距離閾値より大きいか否かを判定することにより、この定量的な制御基準に基づいて、画面のオン・オフをより正しく制御することができる。
【００４９】
実施例３
同一の発明思想に基づいて、本発明の上記実施例による端末画面制御方法に対応して、本発明の実施例３は、端末を提供している。その構造の模式的な図は、図４に示される。具体的には、端末の通話中又は呼出中に、端末の画面における所定領域と人体とが接近する時に画面から発生する電気信号に基づいて、所定領域と人体との距離が距離閾値より大きいか否かを判定するための検出モジュール４０１と、距離が距離閾値より大きくないと判定されると、画面をオフさせるように制御し、距離が距離閾値より大きいと判定されると、画面をオンさせるように制御するための制御モジュール４０２とを含む。
【００５０】
さらに、検出モジュール４０１は、端末の画面における所定領域と人体とが接近する時に画面から発生する接触容量の容量値を検出するためのものであり、容量値が容量閾値以上である場合、所定領域と人体との距離が距離閾値以下であると判定し、容量値が容量閾値より小さい場合、所定領域と人体との距離が距離閾値より大きいと判定する。
【００５１】
さらに、検出モジュール４０１は、端末の画面における所定領域と人体とが接近する時に画面から発生する接触容量の供給電流の電流値を検出するためのものであり、電流値が電流閾値以上である場合、所定領域と人体との距離が距離閾値以下であると判定し、容量値が電流閾値より小さい場合、所定領域と人体との距離が距離閾値より大きいと判定する。
【００５２】
さらに、端末は、端末が通話中又は呼出中であると判定し、検出モジュール４０１に通知するための無線周波数モジュール４０３を含む。
【００５３】
さらに、人体からの距離を測るために用いられる検出モジュールの所定領域は、画面においてレシーバの近くに位置する。
【００５４】
以上をまとめると、本発明の実施例による技術的解決策は、端末の通話中又は呼出中に、端末の画面における所定領域と人体とが接近する時に画面から発生する電気信号に基づいて、所定領域と人体との距離が距離閾値より大きいか否かを判定するステップと、距離が距離閾値より大きくないと判定されると、画面をオフさせるように制御し、距離が距離閾値より大きいと判定されると、画面をオンさせるように制御するステップとを含む。本発明の実施例による技術的解決策を採用して、端末の通話中又は呼出中に画面のオン・オフをより正しく制御することができる。
【００５５】
上述の実施例は、単に本発明の技術的解決策の記載のために例示されただけであり、限定されるべきではない点に留意すべきである。上述の実施例を参照することにより詳細に本発明は開示されているが、当該分野の技術者は、本発明の主旨と範囲を逸脱しない限り、本発明について様々な変更及び変形を行うことができることを言うまでもない。
【図１】
2015521762.tif 000003
【図２】
2015521762.tif 000004
【図３】
2015521762.tif 000005
【図４】
2015521762.tif 000006
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
端末の通話中又は呼出中に、前記端末の画面における所定領域と人体とが接近する時に前記画面から発生する電気信号に基づいて、前記所定領域と人体との距離が距離閾値より大きいか否かを判定するステップと、
前記距離が前記距離閾値より大きくないと判定されると、前記画面をオフさせるように制御するステップと、
前記距離が前記距離閾値より大きいと判定されると、前記画面をオンさせるように制御するステップと、を含む
ことを特徴とする端末画面制御方法。
【請求項２】
前記端末の画面における所定領域と人体とが接近する時に前記画面から発生する電気信号に基づいて、前記所定領域と人体との距離が距離閾値より大きいか否かを判定するステップは、
前記端末の画面における所定領域と人体とが接近する時に前記画面から発生する接触容量の容量値を検出するステップと、
前記容量値が容量閾値以上である場合、前記所定領域と人体との距離が前記距離閾値以下であると判定するステップと、
前記容量値が前記容量閾値より小さい場合、前記所定領域と人体との距離が前記距離閾値より大きいと判定するステップと、を含む
ことを特徴とする請求項１に記載の方法。
【請求項３】
前記端末の画面における所定領域と人体とが接近する時に前記画面から発生する電気信号に基づいて、前記所定領域と人体との距離が距離閾値より大きいか否かを判定するステップは、
前記端末の画面における所定領域と人体とが接近する時に前記画面から発生する接触容量の供給電流の電流値を検出するステップと、
前記電流値が電流閾値以上である場合、前記所定領域と人体との距離が前記距離閾値以下であると判定するステップと、
前記電流値が前記電流閾値より小さい場合、前記所定領域と人体との距離が前記距離閾値より大きいと判定するステップと、を含む
ことを特徴とする請求項１に記載の方法。
【請求項４】
前記端末の無線周波数モジュールにより、前記端末が通話中又は呼出中であることを判定する
ことを特徴とする請求項１〜３のいずれか一項に記載の方法。
【請求項５】
前記所定領域は、前記画面においてレシーバの近くに位置する
ことを特徴とする請求項１〜４のいずれか一項に記載の方法。
【請求項６】
自装置の通話中又は呼出中に、前記自装置の画面における所定領域と人体とが接近する時に前記画面から発生する電気信号に基づいて、前記所定領域と人体との距離が距離閾値より大きいか否かを判定するための検出モジュールと、
前記距離が前記距離閾値より大きくないと判定されると、前記画面をオフさせるように制御し、前記距離が前記距離閾値より大きいと判定されると、前記画面をオンさせるように制御するための制御モジュールと、を含む
ことを特徴とする端末。
【請求項７】
前記検出モジュールは、前記端末の画面における所定領域と人体とが接近する時に前記画面から発生する接触容量の容量値を検出するためのものであり、前記容量値が容量閾値以上である場合、前記所定領域と人体との距離が前記距離閾値以下であると判定し、前記容量値が前記容量閾値より小さい場合、前記所定領域と人体との距離が前記距離閾値より大きいと判定する
ことを特徴とする請求項６に記載の端末。
【請求項８】
前記検出モジュールは、前記端末の画面における所定領域と人体とが接近する時に前記画面から発生する接触容量の供給電流の電流値を検出し、前記電流値が電流閾値以上である場合、前記所定領域と人体との距離が距離閾値以下であると判定し、前記電流値が前記電流閾値より小さい場合、前記所定領域と人体との距離が前記距離閾値より大きいと判定する
ことを特徴とする請求項６に記載の端末。
【請求項９】
さらに、前記端末が通話中又は呼出中であることを判定し、前記検出モジュールに通知するための無線周波数モジュールを含む
ことを特徴とする請求項６〜８のいずれか一項に記載の端末。
【請求項１０】
人体からの距離を測るために用いられる前記検出モジュールの前記所定領域は、前記画面においてレシーバの近くに位置する
ことを特徴とする請求項６〜９のいずれか一項に記載の端末。
【請求項１１】
プロセッサに実行されることにより、請求項１乃至５のいずれか１項に記載の端末画面制御方法を実現することを特徴とするプログラム。
【請求項１２】
請求項１１に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、端末技術分野におけるタッチパネル技術分野に関し、特に端末画面制御方法、端末、プログラム及び記録媒体に関する。
【背景技術】
【０００２】
現在、タッチパネル端末は、メインな端末として使用されているが、ユーザが端末を使用して電話する際に、人体の顔や頭などが端末の画面に長時間に接触すると、誤操作を起こしやすい。従来技術においては、画面のオン・オフを制御するためのオプティカルセンシング技術を用いて、この問題は解決される。その原理としては、オプティカルセンサを利用して周囲の光の状況を感知し、それをコントローラの処理チップに通知して画面のオン・オフを制御する。通話中、端末の前部に搭載されるオプティカルセンサは、周囲の光の状況を感知し、端末が人体（例えば耳）と一定な距離まで接近したときに、光が暗くなったことを感知し、画面をオフさせるように制御し、一方、端末が人体から一定な距離以上に離れたときに、光が明るくなったことを感知し、画面をオンさせるように制御する。
【０００３】
しかしながら、オプティカルセンサによる周囲光の感知状況の判別は、定量的な基準がなく、また、端末が現在位置する環境の光の強弱から影響を受けやすく、画面のオン・オフに対して正しく制御できなくなる。
【発明の概要】
【０００４】
本発明の実施例は、従来技術に存在する端末の通話中又は呼出中に画面のオン・オフに対して正しく制御できないことを解決するための端末画面制御方法、端末、プログラム及び記録媒体を提供する。
【０００５】
本発明の実施例は、端末画面制御方法を提供し、当該端末画面制御方法は、端末の通話中又は呼出中に、前記端末の画面における所定領域と人体とが接近する時に前記画面から発生する電気信号に基づいて、前記所定領域と人体との距離が距離閾値より大きいか否かを判定するステップと、前記距離が前記距離閾値より大きくないと判定されると、前記画面をオフさせるように制御するステップと、前記距離が前記距離閾値より大きいと判定されると、前記画面をオンさせるように制御するステップと、を含む。
【０００６】
さらに、前記端末の画面における所定領域と人体とが接近する時に前記画面から発生する電気信号に基づいて、前記所定領域と人体との距離が距離閾値より大きいか否かを判定するステップは、具体的に、前記端末の画面における所定領域と人体とが接近する時に前記画面から発生する接触容量の容量値を検出するステップと、前記容量値が容量閾値以上である場合、前記所定領域と人体との距離が前記距離閾値以下であると判定するステップと、前記容量値が前記容量閾値より小さい場合、前記所定領域と人体との距離が前記距離閾値より大きいと判定するステップと、を含む。
【０００７】
さらに、前記端末の画面における所定領域と人体とが接近する時に前記画面から発生する電気信号に基づいて、前記所定領域と人体との距離が距離閾値より大きいか否かを判定するステップは、具体的に、前記端末の画面における所定領域と人体とが接近する時に前記画面から発生する接触容量の供給電流の電流値を検出するステップと、前記電流値が電流閾値以上である場合、前記所定領域と人体との距離が前記距離閾値以下であると判定するステップと、前記電流値が前記電流閾値より小さい場合、前記所定領域と人体との距離が前記距離閾値より大きいと判定するステップと、を含む。
【０００８】
さらに、前記端末の無線周波数モジュールにより、前記端末が通話中又は呼出中であることを判定する。
【０００９】
さらに、前記所定領域は、前記画面においてレシーバの近くに位置する。
【００１０】
本発明の実施例は、端末も提供し、当該端末は、自装置の通話中又は呼出中に、前記自装置の画面における所定領域と人体とが接近する時に前記画面から発生する電気信号に基づいて、前記所定領域と人体との距離が距離閾値より大きいか否かを判定するための検出モジュールと、前記距離が前記距離閾値より大きくないと判定されると、前記画面をオフさせるように制御し、前記距離が前記距離閾値より大きいと判定されると、前記画面をオンさせるように制御するための制御モジュールと、を含む。
【００１１】
さらに、前記検出モジュールは、具体的に、前記端末の画面における所定領域と人体とが接近する時に前記画面から発生する接触容量の容量値を検出するためのものであり、前記容量値が容量閾値以上である場合、前記所定領域と人体との距離が前記距離閾値以下であると判定し、前記容量値が前記容量閾値より小さい場合、前記所定領域と人体との距離が前記距離閾値より大きいと判定する。
【００１２】
さらに、前記検出モジュールは、具体的に、前記端末の画面における所定領域と人体とが接近する時に前記画面から発生する接触容量の供給電流の電流値を検出し、前記電流値が電流閾値以上である場合、前記所定領域と人体との距離が距離閾値以下であると判定し、前記電流値が前記電流閾値より小さい場合、前記所定領域と人体との距離が前記距離閾値より大きいと判定する。
【００１３】
さらに、前記端末が通話中又は呼出中であることを判定し、前記検出モジュールに通知するための無線周波数モジュールを含む。
【００１４】
さらに、人体からの距離を測るために用いられる前記検出モジュールの前記所定領域は、前記画面においてレシーバの近くに位置する。
本発明は、さらに、プロセッサに実行されることにより、前記端末画面制御方法を実現するプログラムを提供する。
本発明は、さらに、前記プログラムを記録した記録媒体を提供する。
【００１５】
本発明の実施例に係る上記技術的解決策において、端末の通話中又は呼出中に、端末の画面上の所定領域が人体と接近する時に画面から発生する電気信号に基づいて、所定領域と人体との距離が距離閾値より大きいか否かを判定し、距離が距離閾値より大きくないと判定されると、画面をオフさせるように制御し、距離が距離閾値より大きいと判定されると、画面をオンさせるように制御する。当該方法において、画面のオン・オフの制御に定量的な制御基準を提供したため、背景技術におけるオプティカルセンサによる光の強弱を感知する方法に比較し、画面のオン・オフをより正しく制御することができる。
【図面の簡単な説明】
【００１６】
図面は、本発明をより理解するためのものであり、明細書の一部分として、本発明の実施例とともに本発明を説明するためのものであり、本発明を制限するものではない。
【図１】本発明の実施例による端末画面制御方法のフローチャートである。
【図２】本発明の実施例１による端末画面制御方法のフローチャートである。
【図３】本発明の実施例２による端末画面制御方法のフローチャートである。
【図４】本発明の実施例３による端末の構造を模式的に示す図である。
【発明を実施するための形態】
【００１７】
端末の通話中又は呼出中に画面のオン・オフをより正しく制御するために、本発明の実施例は、端末画面制御方法及び端末を提供する。以下、明細書の図面を参照し、本発明の好適な実施例を説明する。ここで記載する好適な実施例は、単に本発明を説明及び解釈するためのものであり、本発明を限定するためのものではない。また、矛盾しないかぎり、本願における実施例及び実施例における構成は、互いに組み合わせることができる。
【００１８】
本発明の実施例は、端末画面制御方法を提供する。図１に示すように、以下のステップを含む。
【００１９】
ステップ１０１において、端末の通話中又は呼出中に、端末の画面における所定領域と人体とが接近する時に画面から発生する電気信号に基づいて、所定領域と人体との距離が距離閾値より大きいか否かを判定する。
【００２０】
ステップ１０２において、距離が距離閾値より大きくないと判定されると、画面をオフさせるように制御し、距離が距離閾値より大きいと判定されると、画面をオンさせるように制御する。
【００２１】
なお、上記ステップ１０１における電気信号は、端末の画面における所定領域と人体とが接近する時に画面から発生する接触容量であってもよく、端末の画面における所定領域と人体とが接近する時に画面から発生する接触容量の供給電流であってもよい。そして、端末の画面における所定領域と人体とが接近する時に画面から発生する電気信号に基づいて、所定領域と人体との距離が距離閾値より大きいか否かを判定するステップは、具体的に、以下の２つの方式を採用することができる。
【００２２】
方式１：端末の画面における所定領域と人体とが接近する時に画面から発生する接触容量の容量値を検出し、当該容量値が容量閾値以上である場合、所定領域と人体との距離が距離閾値以下であると判定し、当該容量値が当該容量閾値より小さい場合、所定領域と人体との距離が距離閾値より大きいと判定する。
【００２３】
方式２：端末の画面における所定領域と人体とが接近する時に画面から発生する接触容量の供給電流の電流値を検出し、当該電流値が電流閾値以上である場合、所定領域と人体との距離が距離閾値以下であると判定し、当該電流値が当該電流閾値より小さい場合、所定領域と人体との距離が距離閾値より大きいと判定する。
【００２４】
以下、図面を参照し、具体的な実施例を用いて本発明による方法と端末について詳細に説明する。
【００２５】
実施例１：
本発明の実施例１において、端末の通話中又は呼出中に、端末の画面における所定領域と人体との距離が距離閾値より大きいか否かにより、画面のオン・オフを制御する。距離が距離閾値より大きいか否かは、実際には、画面における所定領域と人体とが接近する時に画面から発生する接触容量に基づいて判定することができる。
【００２６】
例えば、容量式タッチパネルを例とし、人体が画面における容量感知領域に接触すると、人体の電界は、タッチパネルの表面との間に結合容量を形成する。実質上、人体が画面に接触せず、一定な距離まで接近すると、結合容量が生成される。
【００２７】
本発明の実施例１は、画面が人体と接近する時に画面から発生する接触容量に基づいて、人体と画面との距離が距離閾値より大きいか否かを判定して画面のオン・オフを制御できる。
【００２８】
図２は、本実施例１による端末画面制御方法のフローチャートであり、詳しくは、以下の処理ステップを含む。
【００２９】
ステップ２０１において、端末は、現在通話中又は呼出中であると判定する。ユーザが端末を使用して通話又は呼出をしている最中に、端末における無線周波数（ＲＦ：Ｒａｄｉｏ Ｆｒｅｑｕｅｎｃｙ）モジュールにより端末が現在通話又は呼出状態にあることを検出して判定することができる。
【００３０】
ステップ２０２において、端末が通話中又は呼出中のとき、端末の画面における所定領域と人体とが接近する時に画面から発生する電気信号に対する検出を起動する。具体的には、端末の画面における所定領域と人体とが接近する時に画面から発生する接触容量の容量値を検出してもよい。
【００３１】
本実施例１において、端末の画面における所定領域は、実際のニーズに応じて柔軟に設置されることができる。例えば、所定領域は、画面においてレシーバの近くに位置するように設置され、そのサイズ及び形状がレシーバの周囲のＰＣＢ（Ｐｒｉｎｔｅｄ Ｃｉｒｃｕｉｔ Ｂｏａｒｄ）ボードに合わせるサイズであることが好ましい。
【００３２】
ステップ２０３において、検出した画面から発生する接触容量の容量値に基づいて、所定領域と人体との距離が距離閾値より大きいか否かを判定する。大きくないと判定される場合、ステップ２０４に進み、大きいと判定される場合、ステップ２０５に進む。具体的な判定方式は、以下のようである。
【００３３】
検出した接触容量の容量値が容量閾値以上である場合、所定領域と人体との距離が距離閾値以下であると判定する。容量値が容量閾値より小さい場合、所定領域と人体との距離が距離閾値より大きいと判定する。なお、容量閾値とは、所定領域と人体との距離が距離閾値であるときに画面から発生する接触容量の容量値である。
【００３４】
ステップ２０４において、端末の画面をオフさせるように制御する。
【００３５】
ステップ２０５において、端末の画面をオンさせるように制御する。
【００３６】
本発明の実施例１による上記方法によれば、画面が人体と接近する時に画面から発生する接触容量の容量値の大きさと容量閾値との関係に応じて、画面と人体との距離が距離閾値より大きいか否かを判定することにより、この定量的な制御基準に基づいて、画面のオン・オフをより正しく制御することができる。
【００３７】
実施例２
本発明の実施例２において、端末の通話中又は呼出中に、端末の画面における所定領域と人体との距離が距離閾値より大きいか否かにより、画面のオン・オフを制御する。距離が距離閾値より大きいか否かは、実際には、画面における所定領域と人体とが接近する時に画面から発生する接触容量の供給電流に基づいて判定することができる。
【００３８】
例えば、容量式タッチパネルを例とし、人体が画面における容量感知領域に接触すると、人体の電界は、タッチパネルの表面との間に結合容量を形成する。高周波電流の場合、キャパシタが直接の導体となるため、人体は、タッチパネルの電極が供給することにより発生した小さい電流を吸収する。当該電流は、供給電流と言われる。実質上、人体が画面に接触せず、一定な距離まで接近すると、結合容量及び対応する供給電流が生成される。
【００３９】
本発明の実施例２は、画面が人体と接近する時に画面から発生する接触容量の供給電流に基づいて、人体と画面との距離が距離閾値より大きいか否かを判定して画面のオン・オフを制御できるものである。
【００４０】
図３は、本実施例２による端末画面制御方法のフローチャートであり、詳しくは、以下の処理ステップを含む。
【００４１】
ステップ３０１において、端末は、現在通話中又は呼出中であると判定する。ユーザが端末を使用して通話又は呼出をしている最中に、端末における無線周波数モジュールにより端末が現在通話又は呼出状態にあることを検出して判定することができる。
【００４２】
ステップ３０２において、端末が通話中又は呼出中のとき、端末の画面における所定領域と人体とが接近する時に画面から発生する電気信号に対する検出を起動する。具体的には、端末の画面における所定領域と人体とが接近する時に画面から発生する接触容量の供給電流の電流値を検出してもよい。
【００４３】
本実施例２において、端末の画面における所定領域は、実際のニーズに応じて柔軟に設置されることができる。例えば、所定領域は、画面においてレシーバの近くに位置するように設置され、そのサイズ及び形状がレシーバの周囲のＰＣＢボードに合わせるサイズであることが好ましい。
【００４４】
ステップ３０３において、検出した画面から発生する接触容量の供給電流の電流値に基づいて、所定領域と人体との距離が距離閾値より大きいか否かを判定する。大きくないと判定される場合、ステップ３０４に進み、大きいと判定される場合、ステップ３０５に進む。具体的な判定方式は、以下のようである。
【００４５】
検出した接触容量の供給電流の電流値が電流閾値以上である場合、所定領域と人体との距離が距離閾値以下であると判定する。電流値が電流閾値より小さい場合、所定領域と人体との距離が距離閾値より大きいと判定する。なお、電流閾値とは、所定領域と人体との距離が距離閾値であるときに画面から発生する接触容量の供給電流の電流値である。
【００４６】
ステップ３０４において、端末の画面をオフさせるように制御する。
【００４７】
ステップ３０５において、端末の画面をオンさせるように制御する。
【００４８】
本発明の実施例２による上記方法によれば、画面が人体と接近する時に画面から発生する接触容量の供給電流の電流値の大きさと電流閾値との関係に応じて、画面と人体との距離が距離閾値より大きいか否かを判定することにより、この定量的な制御基準に基づいて、画面のオン・オフをより正しく制御することができる。
【００４９】
実施例３
同一の発明思想に基づいて、本発明の上記実施例による端末画面制御方法に対応して、本発明の実施例３は、端末を提供している。その構造の模式的な図は、図４に示される。具体的には、端末の通話中又は呼出中に、端末の画面における所定領域と人体とが接近する時に画面から発生する電気信号に基づいて、所定領域と人体との距離が距離閾値より大きいか否かを判定するための検出モジュール４０１と、距離が距離閾値より大きくないと判定されると、画面をオフさせるように制御し、距離が距離閾値より大きいと判定されると、画面をオンさせるように制御するための制御モジュール４０２とを含む。
【００５０】
さらに、検出モジュール４０１は、端末の画面における所定領域と人体とが接近する時に画面から発生する接触容量の容量値を検出するためのものであり、容量値が容量閾値以上である場合、所定領域と人体との距離が距離閾値以下であると判定し、容量値が容量閾値より小さい場合、所定領域と人体との距離が距離閾値より大きいと判定する。
【００５１】
さらに、検出モジュール４０１は、端末の画面における所定領域と人体とが接近する時に画面から発生する接触容量の供給電流の電流値を検出するためのものであり、電流値が電流閾値以上である場合、所定領域と人体との距離が距離閾値以下であると判定し、電流値が電流閾値より小さい場合、所定領域と人体との距離が距離閾値より大きいと判定する。
【００５２】
さらに、端末は、端末が通話中又は呼出中であると判定し、検出モジュール４０１に通知するための無線周波数モジュール４０３を含む。
【００５３】
さらに、人体からの距離を測るために用いられる検出モジュールの所定領域は、画面においてレシーバの近くに位置する。
【００５４】
以上をまとめると、本発明の実施例による技術的解決策は、端末の通話中又は呼出中に、端末の画面における所定領域と人体とが接近する時に画面から発生する電気信号に基づいて、所定領域と人体との距離が距離閾値より大きいか否かを判定するステップと、距離が距離閾値より大きくないと判定されると、画面をオフさせるように制御し、距離が距離閾値より大きいと判定されると、画面をオンさせるように制御するステップとを含む。本発明の実施例による技術的解決策を採用して、端末の通話中又は呼出中に画面のオン・オフをより正しく制御することができる。
【００５５】
上述の実施例は、単に本発明の技術的解決策の記載のために例示されただけであり、限定されるべきではない点に留意すべきである。上述の実施例を参照することにより詳細に本発明は開示されているが、当該分野の技術者は、本発明の主旨と範囲を逸脱しない限り、本発明について様々な変更及び変形を行うことができることを言うまでもない。
【国際調査報告】
2015521762.tif 000007
2015521762.tif 000008
2015521762.tif 000009
2015521762.tif 000010
2015521762.tif 000011
2015521762.tif 000012